(57)【要約】      （修正有）【課題】取出口扉を手で保持することなく且つ盗難防止用プレートを設ける必要もなく、購入商品を容易に取り出すことのできる安全性に優れた自動販売機商品取出口構造を提供する。【解決手段】商品取出口２の前面の開口に取出口扉３が回動自在に垂下され、商品収容ラックから搬出シュート５を転動して商品が搬出される、商品取出口２の背後の商品搬出口４に商品搬出扉６が回動自在に垂下されている自動販売機商品取出口構造において、商品搬出口内に上部が開口した商品受け容器８が前後方向に回動自在に支持され、商品受け容器８の底部には前に回動した商品受け容器８を後に回動させて復元させる復元用錘が設けられ、商品受け容器８の両端の側壁の上縁に商品受け容器８の回動に伴って商品取出口扉３に当接し、上方に押し上げて行く扉押上用突起１６が形成されている。【選択図】図３
0003153937.tif 000002
【実用新案登録請求の範囲】
【請求項１】
商品取出口の前面の開口に取出口扉が回動自在に垂下され、商品収容ラックから搬出シュートを転動して商品が搬出される、商品取出口の背後の商品搬出口に商品搬出扉が回動自在に垂下されている自動販売機商品取出口構造において、
商品搬出口内に上部が開口した商品受け容器が前後方向に回動自在に支持され、
商品受け容器の底部には前に回動した商品受け容器を後に回動させて復元させる復元用錘が設けられ、さらに商品受け容器の両端の側壁の上縁に商品受け容器の回動に伴って商品取出口扉に当接し、上方に押し上げて行く扉押上用突起が形成されていることを特徴とする自動販売機商品取出口構造。
【請求項２】
商品受け容器内面の前面側の上部に転動する商品を受け止める落下防止用突条が設けられていることを特徴とする請求項１記載の自動販売機商品取出口構造。
【請求項３】
商品受けケースの底部に水抜き用孔が設けられていることを特徴とする請求項１又は２記載の自動販売機商品取出口構造。
【請求項４】
商品受けケースの内面にクッションシートが内張されていることを特徴とする請求項１、２又は３記載の自動販売機商品取出口構造。
【考案の詳細な説明】
【技術分野】
【０００１】
本考案は、缶やペットボトルなどの商品を取り出しやすくした自動販売機商品取出口構造に関する。
【背景技術】
【０００２】
ジュース、お茶、ビール等の飲料類を充填した缶やペットボトルなどの商品の販売に自動販売機が利用されている。購入した商品は、自動販売機の下方に設けられている商品取出口から取り出すようになっている。
【０００３】
図４に示すように、従来の自動販売機１は、商品収納ラックを収設した本体２１、本体の前面に設けられた外扉２２、商品７のサンプルの陳列室２３、商品選択ボタン２４、外扉２２の下部に設けた商品取出口２を備えている。
【０００４】
商品取出口２は、図５に示すように、前面に設けたフラッパ形の商品取出扉３と、その背後に配した庫外から手や棒を庫内に入るのを防ぐための回動可能な盗難防止用プレート２５との組立体からなり、商品取出口２の背後には搬出扉６を備えた商品搬出口４が開口し、この商品搬出口４に向けて本体内の商品収容ラックから商品を商品取出口４に搬出する搬出シュート５が設けられている。
【０００５】
かかる構成で、販売指令に基づき商品収納ラックから払出した商品は、商品搬出シュート５の傾斜面を転動して搬出扉６を押し開き、そのまま商品取出口２の中に転がり落ちて受け止められる。商品の購入客は商品取出口２の前面に設けられた取出口扉３を一方の手で手前に開いて保持したまま内部に手を差し入れ、盗難防止用プレート２５を押しのけて、商品を掴んで取り出すことができる。
【先行技術文献】
【特許文献】
【０００６】
【特許文献１】特開２００７−０１８１３３号公報
【考案の概要】
【考案が解決しようとする課題】
【０００７】
従来の自動販売機は、商品取出口内には、盗難防止用プレートが回動自在に懸吊されている。これにより、本体内に収納された商品が、商品取出口から入れた手で取り出して盗まれることを防止できる。
【０００８】
しかし、従来の自動販売機の商品取出口の構造は一方の手で取出口扉を開いて保持しておく必要があり、また、商品取出口は前後の幅が狭く、商品取出口内の空間が盗難防止用プレートで前後に仕切られているため、商品取出口内の商品を取出口の前面開口を通して入れた他方の手で取り出す際、手を取出口から前方へ差し入れ、更に手を下方へ折曲げて購入商品を掴み取らねばならず、さらに手や購入商品の取り出しの際に盗難防止用プレートに邪魔されて手を挟んでけがをしたり、購入商品を容易に取り出すことができなかったりするという問題があった。
【０００９】
そこで、本考案は、会同する商品受け容器により取出口扉を手で保持することなく且つ盗難防止用プレートを設ける必要もなく、購入商品を容易に取り出すことのできる自動販売機商品取出口構造を提供するものである。
【課題を解決するための手段】
【００１０】
本考案は、商品取出口の前面の開口に取出口扉が回動自在に垂下され、商品収容ラックから搬出シュートを転動して商品が搬出される、商品取出口の背後の商品搬出口に商品搬出扉が回動自在に垂下されている自動販売機商品取出口構造において、商品搬出口内に上部が開口した商品受け容器が前後方向に回動自在に支持され、商品受け容器の底部には前に回動した商品受け容器を後に回動させて復元させる復元用錘が設けられ、さらに商品受け容器の両端の側壁の上縁に商品受け容器の回動に伴って商品取出口扉に当接し、上方に押し上げて行く扉押上用突起が形成されていることを特徴とする。
【００１１】
前記構成において、商品受け容器内面の前面側の上部に転動する商品を受け止める落下防止用突条を設けたり、商品受けケースの底部に水抜き用孔設けたり、商品受けケースの内面にクッションシートを内張してもよい。
【考案の効果】
【００１２】
本考案は、商品搬出口内に商品受け容器が前後方向に回動自在の商品受け容器を配置することにより、商品を容易に取り出すことができる。
【００１３】
取出口扉は商品受け容器に寄りかかっており且つ開口が小さく、また、商品受け容器が回動すると、商品受け容器の背面が商品搬送口を塞ぐので、防犯性に優れ、また、盗難防止用プレートを設ける必要がないので、手を挟んだりすることがなく、商品を容易に取り出すことができる。
【図面の簡単な説明】
【００１４】
【図１】本考案による自動販売機の商品取出口の概略図である。
【図２】本考案における、（ａ）は商品受け容器の斜視図、（ｂ）は縦断面図である。
【図３】本考案において、商品受け容器を回動させる状態を示す図である。
【図４】自動販売機の全体図である。
【図５】従来の自動販売機の商品取出口の概略図である。
【考案を実施するための形態】
【００１５】
本考案による自動販売機の商品取出口の一実施例について図面を参照しながら詳細に説明する。
【実施例】
【００１６】
図１において、商品取出口２は図４に示す従来の自動販売機１と同じく自動販売機１の下方に設けられている。商品取出口２の前面の開口には取出口扉３が回動自在に垂下されている。商品を取り出さない通常の状態では取出口扉３は垂下した状態にあって開口を塞いでおり、商品７を取り出す際には、取出口扉３はその下端を上方に引き上げて回動させることにより開口が開かれる。取出口扉３の下端は、後述する商品受け容器８の上縁にもたれかけている。
【００１７】
商品取出口２の背後には商品搬出口４が開口し、この商品搬出口４に向けて本体内の商品収容ラック（図示せず）から商品を搬出する搬出シュート５が設けられている。商品搬出口４には、商品搬出扉６が回動自在に垂下している。
【００１８】
商品取出口２内には、搬出シュート５を経て商品搬出口４から落下する商品を受ける商品受け容器８が配置されている。
【００１９】
図２において、商品受け容器８は、上部が開口した縦断面Ｕ字形の樋状をした容器からなる。容器の両端を塞ぐ側壁９のそれぞれには、商品受け容器８を前後方向に回動自在に支持するための回動軸１０が設けられ、回動軸１０は商品搬出口５内の両端に設けられる支持板１１の支持孔１２に回動自在に支持される。
【００２０】
商品受け容器８の側壁９には、商品受け容器８を回動前後で停止させるため、支持板１１に形成された弧状のガイド孔１３に挿入され、回動の際にガイドされるガイド軸１４が設けられている。
【００２１】
商品受け容器８の前面側の上部は、商品を取り出す際、商品受け容器８を回動させると、商品取出口２の前面の開口より突出するようにして商品を掴みやすくする。
【００２２】
商品受け容器８の下方には復元用錘１５が配置される。復元用錘１５は、回動させて傾動した商品受け容器８から商品の取り出した後に、商品受け容器８から手を離すと自動的に起き上がって待機位置に復元するように設けられる。
【００２３】
図３において、商品受け容器８の側壁９の上縁の背後側には、商品７を取り出す際に、商品受け容器８の回動に伴って商品取出口扉３に当接して移動していき、商品取出口扉３を上方に押し上げていく扉押上用突起１６が形成されている。扉押上用突起１６は、商品搬出扉３に当接して滑らかに移動していくことができるように円弧用に形成する。
【００２４】
商品受け容器８の前面側の上部には、商品受け容器８を回動させるために、商品受け容器８の前面側を下方に押し下げる押し下げ部材１７が設けられている。
【００２５】
商品受け容器８内の前面側の上部には、商品を取り出すために商品受け容器８を回動させて傾けた際に、缶などの転がる商品が商品受け容器８から外側に転がり落ちないように落下防止用突条１８を設ける。
【００２６】
商品受け容器８の底部には、浸入した雨水を排水する水抜き用孔１９を設ける。また、商品受け容器８の内面には、落下した商品の衝撃を抑えるためクッションシート２０を内張してもよい。
【００２７】
次ぎに、商品の取り出し動作について説明する。
【００２８】
図３において、購入客の選択により商品収納ラックから払出した商品７は、搬出シュート５の傾斜面を転動して商品搬出扉６を押し開き、商品搬出口４から商品取出口２内の商品受け容器８の中に落ちて受け止められる。
【００２９】
購入客は、商品受け容器８の押し下げ部材１７を手で押し下げて商品受け容器８を回動させる。回動にともなって、扉押上用突起１６が取出口扉３に当接し、移動しながら押し上げられていき、取出口扉３が開くとともに、商品受け容器８の上部の開口が自動販売機の前面より突出し、ガイド軸１４がガイド孔１３の前方に当たって停止するので、商品７を容易に掴んで取り出すことが可能となる。
【００３０】
商品受け容器８から商品を取り出した後に、商品受け容器８の押し下げ部材１４から手を離すと、商品受け容器８は復元用錘１５の下方への移動により自動的に起き上がって復元するとともに、取出口扉３が下方に回動して前面の開口を閉じる。ガイド軸１４がガイド孔１３の後方に当たって停止する。
【符号の説明】
【００３１】
１：自動販売機            ２：商品取出口
３：取出口扉              ４：商品搬出口
５：搬出シュート          ６：商品搬出扉
７：盗難防止用プレート    ８：商品受け容器
９：側壁                １０：回動軸
１１：支持板              １２：支持孔
１３：ガイド孔            １４：ガイド軸
１５：復元用錘            １６：扉押上用突起
１７：押し下げ部材        １８：落下防止用突条
１９：水抜き用孔          ２０：クッションシート
２１：本体                ２２：外扉
２３：陳列室              ２４：商品選択ボタン
２５：盗難防止用プレート
【図１】
0003153937.tif 000003
【図２】
0003153937.tif 000004
【図３】
0003153937.tif 000005
【図４】
0003153937.tif 000006
【図５】
0003153937.tif 000007